(57)【要約】【課題】自由にレイアウトすることができ、しかも、耐久性に優れた人工芝連結体を提供する。【解決手段】表面側に延設されるように芝糸３１２が植設された芝本体３１の裏面に衝撃吸収層３２が形成され、該衝撃吸収層３２の裏面に係合層３３が形成された複数並設される人工芝体３と、前記係合層３３に係合可能に構成され、互いに隣接する人工芝体３の各々の係合層３３に係合することで当該人工芝体３同士を連結する連結体４とを備え、前記衝撃吸収層３２は、前記芝本体３１の裏面全域に亘って形成されており、前記係合層３３は、前記衝撃吸収層３２の裏面全域に亘って形成されていることを特徴とする。【選択図】図１
2010222961.tif 000002
【特許請求の範囲】
【請求項１】
表面側に延設されるように芝糸が植設された芝本体の裏面に衝撃吸収層が形成され、該衝撃吸収層の裏面に係合層が形成された複数並設される人工芝体と、前記係合層に係合可能に構成され、互いに隣接する人工芝体の各々の係合層に係合することで当該人工芝体同士を連結する連結体とを備え、前記衝撃吸収層は、前記芝本体の裏面全域に亘って形成されており、前記係合層は、前記衝撃吸収層の裏面全域に亘って形成されていることを特徴とする人工芝連結体。
【請求項２】
表面側に延設されるように芝糸が植設された芝本体の裏面に発泡樹脂層が形成され、該発泡樹脂層の裏面に不織布層が形成された複数並設される人工芝体と、前記不織布層に係合可能に構成され、互いに隣接する人工芝体の各々の不織布層に係合することで当該人工芝体同士を連結する面ファスナーとを備え、前記発泡樹脂層は、前記芝本体の裏面全域に亘って形成されており、前記不織布層は、前記発泡樹脂層の裏面全域に亘って形成されていることを特徴とする人工芝連結体。
【請求項３】
前記人工芝体の端部には、面方向外方に向けて突設される凸部と、面方向内方に向けて凹設される凹部と、が形成され、前記凸部と前記凹部とは互いに嵌合可能に構成され、互いに隣接する人工芝体の凸部と凹部とが嵌合することで、両人工芝体同士が連結可能に構成され、前記凸部は、基端部の幅が先端部の幅よりも小さく構成され、前記凹部は、面方向内方側端部の幅が面方向外方側端部の幅よりも大きく構成されていることを特徴とする請求項１又は請求項２に記載の人工芝連結体。
【発明の詳細な説明】
【技術分野】
【０００１】
本発明は、複数連結される人工芝体を備える人工芝連結体に関する。
【背景技術】
【０００２】
従来、この種の人工芝連結体として、表面側に延設されるように芝糸が植設された芝本体の裏面に裏材が形成された複数並設される人工芝体と、隣接する人工芝体同士の対向する端部間を連結する連結体とを備えたものが公知である。この人工芝連結体は、人工芝体の端部が、前記裏材が切欠かれて形成された段部となっており、該段部には連結体に係合可能な係合体が設けられている（下記特許文献１参照）。
【０００３】
かかる人工芝連結体にあっては、複数の人工芝体を並設し、隣接する人工芝体の対向する段部をそれぞれ連結体に重ね合わせるようにして各段部に設けられている係合体を連結部にそれぞれ係合させることによって、当該人工芝体同士を連結することができる。
【０００４】
一方、他の人工芝連結体として、表面側に延設されるように芝糸が植設された芝本体の裏面全体に係合層が形成された人工芝体と、前記係合層に係合可能な被係合体が表面に設けられた衝撃吸収体とを備えたものが公知である（下記特許文献２参照）。
【０００５】
かかる人工芝連結体にあっては、衝撃吸収体と人工芝体とを、係合層と被係合体とが係合するように重ね合わせて連結することができる。
【先行技術文献】
【特許文献】
【０００６】
【特許文献１】特開平５−  ８４８５７号公報
【特許文献２】特開平７−２５５８８９号公報
【発明の概要】
【発明が解決しようとする課題】
【０００７】
しかしながら、上記特許文献１に係る人工芝連結体にあっては、連結体と係合する係合体が裏材の端部を切欠いて形成された段部に設けられているので、例えば所望する大きさや形状等に人工芝体を切断すると、当該係合体が切落とされてなくなってしまい、そのため、当該切断した人工芝体は、もはや連結体を用いて隣接する人工芝体に連結することができなくなってしまう。結局、上記従来の人工芝連結体においては、人工芝体を切断せずにそのままの形状で使用しなければならないため、決まったレイアウトにしかできなかった。
【０００８】
一方、上記特許文献２に係る人工芝連結体にあっては、芝本体の裏面に係合層が形成され、衝撃吸収体の表面に被係合体が設けられているので、係合層と被係合体との係合は、芝本体と衝撃吸収体との間で形成される。よって、人工芝連結体に人工芝体の厚み方向（表裏方向）の衝撃や、面方向（表裏方向に略直交する方向）の力が加わると、それらは、係合体と被係合体との係合部分に緩衝等されずにそのまま伝わってしまい、その結果、係合体と被係合体とが係合及び係合解除を不要に繰り返してしまう。故に、この人工芝連結体は、係合体と被係合体との係合機能がすぐに損なわれるため耐久性に乏しいものである。
【０００９】
そこで、本発明は、上記問題に鑑みてなされ、自由にレイアウトすることができ、しかも、耐久性に優れた人工芝連結体を提供することを課題とする。
【課題を解決するための手段】
【００１０】
本発明は、上記課題を解決すべくなされたものであり、本発明に係る人工芝連結体は、表面側に延設されるように芝糸が植設された芝本体の裏面に衝撃吸収層が形成され、該衝撃吸収層の裏面に係合層が形成された複数並設される人工芝体と、前記係合層に係合可能に構成され、互いに隣接する人工芝体の各々の係合層に係合することで当該人工芝体同士を連結する連結体とを備え、前記衝撃吸収層は、前記芝本体の裏面全域に亘って形成されており、前記係合層は、前記衝撃吸収層の裏面全域に亘って形成されていることを特徴とする。
【００１１】
該構成の人工芝連結体にあっては、衝撃吸収層が芝本体の裏面全域に亘って形成されており、係合層が前記衝撃吸収層の裏面全域に亘って形成されている、即ち、衝撃吸収層と係合層とが芝本体の裏面全域に対応して形成されているので、人工芝体を何れの位置でその厚み方向に切断しても、当該切断した人工芝体を、連結体を用いて隣接する人工芝体に連結することができる。よって、人工芝体を所望する形状に切断して人工芝連結体を自由にレイアウトすることができる。
【００１２】
また、芝本体の裏面に形成される衝撃吸収層の裏面に係合層が形成されている、即ち、芝本体と係合層との間には衝撃吸収層が形成されているので、芝本体の表面側から作用する人工芝体における厚み方向（表裏方向）の衝撃や面方向（表裏方向に略直交する方向）の力は、芝本体の裏面に形成されている衝撃吸収層で吸収・緩衝される。よって、衝撃吸収層の裏面側において形成される係合層と連結体との係合部分には、前記衝撃や力が作用しない又は作用し難くなる。従って、係合層と連結体との係合機能が損なわれ難くなって長く維持され、その結果、人工芝連結体の耐久性が向上する。
【００１３】
また、本発明に係る人工芝連結体は、表面側に延設されるように芝糸が植設された芝本体の裏面に発泡樹脂層が形成され、該発泡樹脂層の裏面に不織布層が形成された複数並設される人工芝体と、前記不織布層に係合可能に構成され、互いに隣接する人工芝体の各々の不織布層に係合することで当該人工芝体同士を連結する面ファスナーとを備え、前記発泡樹脂層は、前記芝本体の裏面全域に亘って形成されており、前記不織布層は、前記発泡樹脂層の裏面全域に亘って形成されていることを特徴とする。
【００１４】
該構成の人工芝連結体にあっては、発泡樹脂層が芝本体の裏面全域に亘って形成されており、不織布層が前記発泡樹脂層の裏面全域に亘って形成されている、即ち、発泡樹脂層と不織布層とが芝本体の裏面全域に対応して形成されているので、人工芝体を何れの位置でその厚み方向に切断しても、当該切断した人工芝体を、面ファスナーを不織布層に係合させて隣接する人工芝体に連結することができる。よって、人工芝体を所望する形状に切断して人工芝連結体を自由にレイアウトすることができる。
【００１５】
また、芝本体の裏面に形成される発泡樹脂層の裏面に不織布層が形成されている、即ち、芝本体と不織布層との間には発泡樹脂層が形成されているので、芝本体の表面側から作用する人工芝体における厚み方向（表裏方向）の衝撃や面方向（表裏方向に略直交する方向）の力は、芝本体の裏面に形成されている発泡樹脂層で吸収・緩衝される。よって、発泡樹脂層の裏面側において形成される不織布層と面ファスナーとの係合部分には、前記衝撃や力が作用しない又は作用し難くなる。従って、不織布層と面ファスナーとの係合機能が損なわれ難くなって長く維持され、その結果、人工芝連結体の耐久性が向上する。
【００１６】
また、本発明に係る人工芝連結体は、前記人工芝体の端部には、面方向外方に向けて突設される凸部と、面方向内方に向けて凹設される凹部と、が形成され、前記凸部と前記凹部とは互いに嵌合可能に構成され、互いに隣接する人工芝体の凸部と凹部とが嵌合することで、両人工芝体同士が連結可能に構成され、前記凸部は、基端部の幅が先端部の幅よりも小さく構成され、前記凹部は、面方向内方側端部の幅が面方向外方側端部の幅よりも大きく構成されていてもよい。
【００１７】
該構成の人工芝連結体にあっては、基端部の幅が先端部の幅よりも小さい凸部と、面方向内方側端部の幅が面方向外方側端部の幅よりも大きい凹部とが嵌め合って掛合するので、凸部と凹部とが人工芝体の面方向において引っ掛かる。よって、両人工芝体に、連結方向（隣接方向）の力が作用したり、該連結方向に交差する方向の力が作用したりしても、かかる凸部と凹部との引っ掛かりによって、両人工芝体が、互いに離間する方向（連結方向）に位置ずれしたり、連結方向に交差する方向に位置ずれしたりすることを効果的に抑制することができる。
【発明の効果】
【００１８】
このように、本発明は、衝撃吸収層を芝本体の裏面全域に亘って形成すること、係合層を衝撃吸収層の裏面全域に亘って形成することによって、人工芝体を何れの位置でその厚み方向に切断しても、当該切断した人工芝体を連結体を用いて隣接する人工芝体に連結することができ、また、芝本体の表面側から作用する人工芝体における厚み方向の衝撃や面方向の力を衝撃吸収層で吸収・緩衝して当該衝撃や力が衝撃吸収層の裏面側において形成される係合層と連結体との係合部分に作用するのを防止又は抑制することができる結果、人工芝体を所望する形状に切断して人工芝連結体を自由にレイアウトすることができ、また、係合層と連結体との係合機能を長く維持させて耐久性を向上させることができるという効果を奏する。
【００１９】
また、本発明は、発泡樹脂層を芝本体の裏面全域に亘って形成すること、不織布層を発泡樹脂層の裏面全域に亘って形成することによって、人工芝体を何れの位置でその厚み方向に切断しても、当該切断した人工芝体を面ファスナーを用いて隣接する人工芝体に連結することができ、また、芝本体の表面側から作用する人工芝体における厚み方向の衝撃や面方向の力を発泡樹脂層で吸収・緩衝して当該衝撃や力が発泡樹脂層の裏面側において形成される不織布層と面ファスナーとの係合部分に作用するのを防止又は抑制することができる結果、人工芝体を所望する形状に切断して人工芝連結体を自由にレイアウトすることができ、また、不織布層と面ファスナーとの係合機能を長く維持させて耐久性を向上させることができるという効果を奏する。
【図面の簡単な説明】
【００２０】
【図１】本発明に係る人工芝連結体の第１の実施形態を示す断面図である。
【図２】本発明に係る人工芝連結体の第２の実施形態を示す平面図である。
【発明を実施するための形態】
【００２１】
以下、本発明に係る人工芝連結体について図面を参照しつつ詳細に説明する。
【００２２】
（第１実施形態）
図１に、本実施形態における人工芝連結体１が示されている。該人工芝連結体１は、例えば、保育園等の園庭や、各種スポーツ練習施設、店舗、住居のベランダ、公園等のグラウンド、ビルの屋上などの様々な施設における地面や床面等としての基礎層２の表面上に敷設されて人工芝敷設構造Ａを形成するものであり、表面側に延設されるように芝糸３１２が植設された芝本体３１を備える複数の人工芝体３と、人工芝体３同士を連結する連結体４とを備える。
【００２３】
尚、本実施形態では、基礎層２は、表面が平坦面となっている地面であるが、これに限らず、例えば、地面の表面に、表面が平坦な下地層が形成されたものであってもよい。ここで、この下地層は、例えば、大径砕石体と、該大径砕石体よりも小径の小径砕石体とからなり、表面が平坦面に形成されると共に弾性を有する液体バインダー又は合成樹脂バインダー等の固結剤によって固結されて構成される砕石層とすることができる。或いは、下地層は、例えば透水性又は非透水性のアスファルトコンクリートからなるコンクリート層とすることも可能である。尚、基礎層２は、透水性又は非透水性のアスファルトコンクリートからなるコンクリート層であってもよい。
【００２４】
人工芝体３は、例えば長辺が約１８００ｍｍであり、短辺が１５００ｍｍである略矩形状の人工芝パネルであり、その面方向に並設されるよう複数準備されている。この人工芝体３は、表面側に延設されるように芝糸３１２が植設された芝本体３１と、該芝本体３１の裏面に形成される衝撃吸収層３２と、該衝撃吸収層３２の裏面に形成される係合層３３とを備える。尚、人工芝体３は、略矩形状の人工芝パネルに限らず、例えばロール状にすることができる帯状の人工芝シート体であってもよい。
【００２５】
芝本体３１は、基布３１１の表面側に延設されるように該基布３１１に複数の芝糸３１２が植設され、該植設された芝糸３１２を固定するためのバッキング材３１３が基布３１１の裏面側に設けられて構成されている。具体的には、芝本体３１は、ポリプロピレン製の平織りの織布を用いた基布３１１に、例えば１８００デシテックスのポリエチレン製モノフィラメントの芝糸３１２を、例えば糸重量０．５ｋｇ／ｍ2乃至４．０ｋｇ／ｍ2及びパイル長５ｍｍ乃至５０ｍｍとなるように植設して芝葉を形成し、基布３１１の裏面に例えばＳＢＲやウレタン樹脂等のバッキング材３１３を塗布して前記芝糸３１２を基布３１１に固定して構成されている。尚、本実施形態では、芝本体３１の芝糸３１２は基布３１１の上方向に向けて植設され、カットパイル状に１０乃至２５ｍｍ程度の長さに整えられている。尚、芝糸３１２は、ポリエチレン製モノフィラメントの他に、例えばポリプロピレン製モノフィラメントやナイロン製モノフィラメントなども好適に用いることができる。
【００２６】
衝撃吸収層３２は、弾性材からなる低反発弾性層であり、例えば天然ゴムや合成ゴム等の樹脂発泡体からなる発泡樹脂層である。本実施形態では、衝撃吸収層３２は、発泡ウレタンをシート状に形成して構成されている。この衝撃吸収層３２は、その厚さが例えば１ｍｍ乃至５０ｍｍであり、芝本体３１の基布３１１の裏面全域に亘るように形成されている。
【００２７】
係合層３３は、連結体４に係合可能に構成されており、不織布で構成される不織布層であり、その単位面積当りの重量が例えば３０ｇ/ｍ2乃至１０００ｇ/ｍ2である。かかる係合層３３は、衝撃吸収層３２の裏面全域に亘って形成されている。即ち、衝撃吸収層３２と不織布層とは、芝本体３１の裏面側全域に対応して設けられている。尚、不織布は、例えば６０ｇ/ｍ2乃至３００ｇ/ｍ2のものが好ましく、特に１００ｇ/ｍ2乃至１５０ｇ/ｍ2のものが、連結体４との繰り返しの係合・係合解除に対して耐久性があって好ましい。
【００２８】
このような人工芝体３は、例えば、不織布からなる係合層３３の表面側に、未硬化のウレタン樹脂を塗布し、該塗布したウレタン樹脂の表面側に芝本体３１を貼り付けて硬化させることで製造することができる。或いは、係合層３３の表面に、既硬化のウレタン樹脂発泡体を例えば接着剤等で接着し、該ウレタン樹脂発泡体の表面に芝本体３１を接着することでも製造可能である。
【００２９】
連結体４は、人工芝体３の係合層３３に係合及び係合解除可能に構成されており、互いに隣接する人工芝体３のそれぞれの係合層３３に係合して当該人工芝体３同士を連結することができるように構成されている。この連結体４は、所定幅、具体的には、互いに隣接する人工芝体３の対向する端部間に跨る程度の幅を有する長尺の帯状体である。本実施形態では、連結体４は、不織布に係合可能な面ファスナー、具体的には、表面がフック状に起毛した面ファスナーである。
【００３０】
次に、かかる構成の人工芝連結体１を基礎層２に敷設する方法について説明する。まず、表面が平坦な基礎層２に連結体４を敷設する。具体的には、その裏面が基礎層２の表面と対向するような向きで基礎層２に連結体４を敷設する。尚、連結体４を基礎層２に接着或いは固定してもよい。
【００３１】
そして、その上から複数の人工芝体３を並べて敷設する。具体的には、連結体４の幅方向中央より一方側の領域に、人工芝体３の一端部の係合層３３を係合させて該人工芝体３を敷設し、連結体４の幅方向中央より他方側の領域に、他の人工芝体３の一端部の係合層３３を係合させて該他の人工芝体３を敷設することによって、前記人工芝体３と他の人工芝体３とを隣接させた状態で連結体４で連結して敷設する。このとき、連結体４の厚み成分は衝撃吸収層３２によって吸収される。具体的には、人工芝体３を敷設した状態においては、人工芝体３の一端部と基礎層２との間に連結体４が挟み込まれた状態となっているところ、衝撃吸収層３２は、挟み込まれた連結体４の厚みに相当する分だけ、その厚み方向に変形（具体的には、弾性変形）している。このため、敷設した人工芝体３の一端部が盛り上がってしまうのを効果的に抑制・防止することができ、見栄えを良くすることができる。
【００３２】
（第２実施形態）
人工芝連結体の第２実施形態を図２を中心に説明する。
図２に示すように、人工芝体３は、一辺が約９６０ｍｍの略正方形の人工芝パネルである。図２では、２枚の人工芝パネルを面方向に並設しているが、複数であれば、何枚並設してもよい。また、図２では、図１で示した芝本体３１の芝糸３１２を省略し、図１で示した衝撃吸収層３２や係合層３３については、同一構造であるため、図示しないと共に説明を省略する。尚、人工芝体３は、略正方形の人工芝パネルである場合に限らず、略長方形の人工芝パネルであってもよい。
【００３３】
人工芝体３の４辺のそれぞれには、面方向外方に向けて突設される凸部５と、面方向内方に向けて凹設される凹部６とが辺方向に沿って連続して隣り合うように形成されている。前記凸部５と前記凹部６とは、互いに嵌合可能に構成されており、互いに隣接する人工芝体３の凸部５と凹部６とが嵌合することで、両人工芝体３，３同士が連結可能に構成されている。
また、凸部５と凹部６とは、前記人工芝体３の厚み方向全域に亘って形成されている。具体的には、凸部５と凹部６とは、前記人工芝体３の表面側から裏面側まで略一定形状となるように構成されている。従って、配設された人工芝体３…のどの人工芝体３でも上方へ移動させるだけで容易に取り外すことができ、部分的な取替えを容易に行える利点がある。
【００３４】
前記凸部５は、平面視において略逆台形状に構成され、基端部の幅が先端部の幅よりも小さくなっている。これに対して、前記凹部６は、平面視において略台形状に構成され、面方向内方側端部の幅が面方向外方側端部の幅よりも大きくなっている。このように構成することによって、前記凸部５には、嵌合した凹部６に面方向内外方で掛合する掛合部５Ａが備えられ、前記凹部６には、前記掛合部５Ａが掛合する被掛合部６Ａが備えられている。従って、互いに隣接して連結される人工芝体のうち、一方の人工芝体３の端部に突設される凸部５と、他方の人工芝体３の端部に凹設される凹部６とが例えば上下方向から嵌り合って掛合することによって、両人工芝体に、連結方向（隣接方向）の力が作用したり、該連結方向に交差する方向の力が作用したりしても、両人工芝体が、互いに離間する方向Ｂ（連結方向）に位置ずれしたり、連結方向に略直交する方向Ａに位置ずれしたりすることを効果的に抑制することができる。
【００３５】
前記人工芝体３は、前述したように、凸部５と凹部６とが辺方向に沿って連続して隣り合うように形成され、対向する２辺のうちの一方の辺の凸部５に対して他方の辺の凹部６が対向して位置するように、対向する２辺に凸部５と凹部６とが千鳥配置になるように凸部５と凹部６とを形成している。
【００３６】
前記人工芝体３の４個の角部に位置する凸部７と凹部８のそれぞれは、幅方向の一端が切り取られた形状とすることで、図２において右側又は左側に例えば２つの人工芝体３を更に連結して４つの人工芝体３を連結した場合に、隙間無く連結することができるようにしている。
【００３７】
次に、かかる構成の人工芝連結体１を基礎層２に敷設する方法について説明する。まず、表面が平坦な基礎層２に連結体４を敷設する。具体的には、その裏面が基礎層２の表面と対向するような向きで基礎層２に連結体４を敷設する。尚、連結体４を基礎層２に接着或いは固定してもよい。また、連結体４の幅方向の寸法は自由に変更することができる。
【００３８】
そして、その上から複数（図２では２個）の人工芝体３を並べて敷設する。具体的には、連結体４の幅方向一端部から少し他端部側に一方の人工芝体３の凸部５の先端が位置するように該一方の人工芝体３を配置し、人工芝体３の一端部の係合層３３（図１参照）を連結体４に係合させて、連結体４の他端部側に一方の人工芝体３を敷設する。続いて、連結体４の幅方向一端部側から前記敷設した一方の人工芝体３の凸部５及び凹部６にそれぞれ凹部６及び凸部５が掛合するように他方の人工芝体３を配置し、他方の人工芝体３の一端部の係合層３３（図１参照）を連結体４に係合させて、連結体４の一端部側に他方の人工芝体３を敷設する。連結体４は、凸部５の突出量よりも幅広に構成されているので、一方の人工芝体３の凸部５と他方の人工芝体３の凸部５との全体、即ち一方の人工芝体３と他方の人工芝体３との掛合部分全体に跨って、両人工芝体３に係合している。このとき、連結体４の厚み成分は衝撃吸収層３２（図１参照）によって吸収される。具体的には、人工芝体３を敷設した状態においては、人工芝体３の一端部と基礎層２との間に連結体４が挟み込まれた状態となっているところ、衝撃吸収層３２は、挟み込まれた連結体４の厚みに相当する分だけ、その厚み方向に変形（具体的には、弾性変形）している（図１参照）。このため、敷設した人工芝体３の一端部が盛り上がってしまうのを効果的に抑制・防止することができ、見栄えを良くすることができる。また、一方の人工芝体３の凸部５及び凹部６にそれぞれ凹部６及び凸部５が掛合するように他方の人工芝体３を配置するだけで、両人工芝体３，３の位置決めが容易に行える利点もある。
【００３９】
このように、複数の人工芝体３を基礎層２の表面に沿って並べて連結体４で連結することで人工芝敷設構造Ａが形成される（図１参照）。尚、本実施形態では、人工芝体３の前記芝本体３１の表面側芝糸間には、例えば粒状体を充填して形成される充填層等を設けない。
【００４０】
以上のような構成の人工芝連結体１にあっては、発泡ウレタンで形成される衝撃吸収層３２と不織布で形成される係合層３３とが芝本体３１の裏面全域に対応して形成されているので、人工芝体３を何れの位置で厚み方向に切断しても、当該切断した人工芝体３の端部には、衝撃吸収層３２及び係合層３３が存在する。よって、当該切断した人工芝体３とこれに隣接する人工芝体３とを、フック状の面ファスナーである連結体４をそれぞれの係合層３３に係合させて連結することができる。故に、人工芝体３を所望する形状に切断して人工芝連結体１を自由にレイアウトすることができる。
【００４１】
また、衝撃吸収層３２が芝本体３１と係合層３３との間に形成されているので、芝本体３１の表面側から作用する人工芝体３における厚み方向（表裏方向）の衝撃や面方向（表裏方向に略直交する方向）の力は、発泡ウレタンで形成された衝撃吸収層３２で吸収・緩衝される。よって、衝撃吸収層３２の裏面側において形成される係合層３３と連結体４との係合部分、つまり、不織布と面ファスナーとの係合部分には、前記衝撃や力が作用しない又は作用し難くなる。従って、係合層３３と連結体４との係合機能（具体的には、不織布と面ファスナーとの係合力）が損なわれ難くなって長く維持され、その結果、人工芝連結体１の耐久性が向上する。しかも、第２実施形態のように、一方の人工芝体３の端部に突設される凸部５と、他方の人工芝体３の端部に凹設される凹部６とが嵌り合って掛合する場合には、両人工芝体に、連結方向（隣接方向）の力が作用したり、該連結方向に交差する方向の力が作用したりしても、両人工芝体が、互いに離間する方向Ｂ（連結方向）に位置ずれしたり、連結方向に略直交する方向Ａに位置ずれしたりすることを効果的に抑制することができる。
【００４２】
尚、第１及び第２実施形態では、係合層３３が不織布で構成され、連結体４が面ファスナーで構成される場合について説明したが、これに限らず、係合層３３を面ファスナーで構成し、連結体４を不織布で構成してもよい。また、連結体４の幅寸法及び配置する個数は自由に変更可能である。
【００４３】
また、第１及び第２実施形態では、不織布とフック状に起毛した面ファスナーとを係合させる場合について説明したが、これに限らず、ループ状に起毛した面ファスナーとフック状に起毛した面ファスナーとを係合させる場合や、ループ状の起毛及びフック状の起毛の双方を備えた一対の面ファスナーを互いに係合させる場合、クリックタイプの一対の面ファスナーを互いに係合させる場合、シャークタイプの一対の面ファスナーを互いに係合させる場合であってもよい。
【００４４】
更に、第１及び第２実施形態では、芝本体３１の表面側芝糸間に粒状体を充填して形成される充填層を設けない場合について説明したが、これに限らず、当該充填層を設けてもよい。但し、人工芝体３を取替える際の利便性を考慮して充填層は設けないのが好ましい。
【００４５】
また、第２実施形態では、凸部５を略逆台形状に構成したが、これに限らず、例えば略Ｔ字状または楔状あるいは半円部を有する茸状などのように、嵌合した凹部に対して掛合可能な形状であれば、どのような形状であってもよい。
【００４６】
また、第２実施形態では、人工芝体３の対向２辺の一方の辺の凸部５に対して異なる形状の凹部６が対向する位置になるように凸部５と凹部６を千鳥状に形成したが、人工芝体３の対向２辺の一方の辺の凸部５に対して同一形状の凸部５が対向する位置になるように凸部５と凹部６を形成してもよい。また、人工芝体３の対向２辺の一方の辺に、凸部５のみを形成し、他方の辺に、凸部５が嵌合する凹部６のみを形成してもよい。
【符号の説明】
【００４７】
１…人工芝連結体、２…基礎層、３…人工芝体、４…連結体、５，７…凸部、６，８…凹部、５Ａ…掛合部、６Ａ…被掛合部、３１…芝本体、３２…衝撃吸収層、３３…係合層、３１１…基布、３１２…芝糸、３１３…バッキング材、Ａ…人工芝敷設構造
【図１】
2010222961.tif 000003
【図２】
2010222961.tif 000004